(57)【特許請求の範囲】
【請求項１】
辞書データを生成する情報処理装置であって、
前記辞書データとは、入力キー順列と変換文字列とを紐付けたリストで、
本情報処理装置は、ＵＩ生成部と、辞書データ生成部と、特定言語入力変換部とを備え、
前記ＵＩ生成部は、辞書データ編集ＵＩを生成するように構成され、ここで前記辞書データ編集ＵＩとは、２次元テーブルのＵＩで、このテーブルの行及び列によって規定される各セルに情報を入力可能に構成され、
前記特定言語入力変換部は、前記辞書データ編集ＵＩに入力され且つ英数字で規定される前記入力キー順列を、この入力キー順列を特定言語入力した際に表示される特定言語入力表示形式に変換するように構成され、
前記辞書データ生成部は、前記辞書データ編集ＵＩに対する入力の結果に基づいて、前記特定言語入力表示形式の前記入力キー順列と、前記変換文字列とを紐付けた前記辞書データを生成するように構成されるもの。
【請求項２】
請求項１に記載の情報処理装置において、
前記特定言語入力変換部は、前記辞書データ編集ＵＩに入力された英字ａを日本語入力表示「あ」に変換し、英字ｉを日本語入力表示「い」に変換し、英字ｕを日本語入力表示「う」に変換し、英字ｅを日本語入力表示「え」に変換し、英字ｏを日本語入力表示「お」に変換するように構成されるもの。
【請求項３】
辞書データを生成する情報処理装置であって、
前記辞書データとは、入力キー順列と変換文字列とを紐付けたリストで、
本情報処理装置は、ＵＩ生成部と、辞書データ生成部とを備え、
前記ＵＩ生成部は、辞書データ編集ＵＩを生成するように構成され、ここで前記辞書データ編集ＵＩとは、２次元テーブルのＵＩで、このテーブルの行及び列によって規定される各セルに情報を入力可能に構成され、
前記辞書データ生成部は、前記辞書データ編集ＵＩに対する入力の結果に基づいて、前記辞書データを生成するように構成され、
前記辞書データ編集ＵＩにおける前記セルは、第１の入力キーセルと、第２の入力キーセルと、文字列セルとに少なくとも分類され、
前記第１の入力キーセルは、行見出し及び列見出しの一方を構成し、前記入力キー順列のうち前半部分に対応する英数字の入力欄として機能し、
前記第２の入力キーセルは、前記一方に対する他方を構成し、前記前半に対する後半部分に対応する英数字の入力欄として機能し、
前記文字列セルは、前記行見出し及び前記列見出しの何れにも含まれないセルで、前記入力キー順列と紐付ける前記変換文字列又はその一部で構成される主要文字列の入力欄として機能するもの。
【請求項４】
請求項３に記載の情報処理装置において、
前記文字列セルは、前記主要文字列の入力欄として機能し、
前記辞書データに含まれる前記変換文字列は、前記主要文字列の後に前記入力キー順列を繋げてなる文字列であるもの。
【請求項５】
請求項１〜請求項４の何れか１つに記載の情報処理装置において、
辞書データ読込部をさらに備え、
前記辞書データ読込部は、既存の辞書データを読み込むように構成され、
前記ＵＩ生成部は、前記辞書データ読込部によって読み込まれた前記既存の辞書データの内容を編集できる態様で、前記辞書データ編集ＵＩを生成するもの。
【請求項６】
プログラムであって、
コンピュータを請求項１〜請求項５の何れか１つに記載の情報処理装置として機能させるもの。
【発明の詳細な説明】
【技術分野】
【０００１】
本発明は、情報処理装置、プログラム、及び書類作成方法に関する。
【背景技術】
【０００２】
近年ではコンピュータやこれにインストールされるワープロソフトが一般に普及しており、コンピュータを用いて書類作成が行われている。しかし、書類の作成作業はヒトによってなされるため、ヒューマンエラーによって、誤記や誤植等の書類不備が発生してしまうことがある。
【０００３】
特許文献１には、誤記や誤植を校閲する文書校閲装置が開示されている。
【先行技術文献】
【特許文献】
【０００４】
【特許文献１】特許第６５６８９６８号公報
【発明の概要】
【発明が解決しようとする課題】
【０００５】
しかしながら、特許文献１に開示される文書校閲装置は、事後的に校閲を行うものであり、そもそも書類作成の際に誤記や誤植の発生を防止することはできない。また、書類作成時には特段の効率化が図れるものでもない。
【０００６】
本発明は、かかる事情を鑑みてなされたものであり、書類作成に際して誤記や誤植の発生を防止し、且つ書類作成時間も削減可能な辞書データを生成することができる情報処理装置を提供することを目的とする。
【課題を解決するための手段】
【０００７】
本発明の一態様によれば、辞書データを生成する情報処理装置であって、前記辞書データとは、入力キー順列と変換文字列とを紐付けたリストで、本情報処理装置は、ＵＩ生成部と、辞書データ生成部とを備え、前記ＵＩ生成部は、辞書データ編集ＵＩを生成するように構成され、ここで前記辞書データ編集ＵＩとは、２次元テーブルのＵＩで、このテーブルの行及び列によって規定される各セルに情報を入力可能に構成され、前記辞書データ生成部は、前記辞書データ編集ＵＩに対する入力の結果に基づいて、前記辞書データを生成するように構成されるものが提供される。
【０００８】
かかる情報処理装置を用いて書類作成を行うことで、書類作成に際して誤記や誤植の発生を防止し、且つ書類作成時間も削減することができる、という有利な効果を奏する。
【図面の簡単な説明】
【０００９】
【図１】本実施形態に係るシステム１の構成概要を示す図である。
【図２】情報処理装置３のハードウェア構成を示すブロック図である。
【図３】情報処理装置３（制御部３３）の機能を示す機能ブロック図である。
【図４】ＵＩ生成部３３２によって生成された辞書データ編集ＵＩ４の一例を示している。
【図５】図４の状態からユーザが各セル４０に情報を入力した後の態様を示している。
【図６】生成された辞書データ５の一例を示している。
【図７】本実施形態に係る書類作成方法の流れを示すアクティビティ図である。
【発明を実施するための形態】
【００１０】
以下、図面を用いて本発明の実施形態について説明する。以下に示す実施形態中で示した各種特徴事項は、互いに組み合わせ可能である。特に、本明細書において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、０又は１で構成される２進数のビット集合体として信号値の高低によって表され、広義の回路上で通信・演算が実行されうる。
【００１１】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１２】
１．ハードウェア構成
第１節では、本実施形態のハードウェア構成について説明する。図１は、本実施形態に係るシステム１の構成概要を示す図である。第１節では、システム１の全体構成について説明する。特に、本実施形態において、情報処理装置３が生成する辞書データ５は、特許出願において願書に添付する明細書を作成する際に使用するものとして説明する。
【００１３】
１−１．システム１
システム１は、共有サーバ２と、情報処理装置３とを備え、これらが電気通信回線を通じて通信可能に構成されている。以下、これらの構成要素についてさらに説明する。
【００１４】
１−２．共有サーバ２
共有サーバ２は、ユーザが所属している団体（企業、特許事務所、特許業務法人等）が管理している事件がデータベースとして保存されている。すなわち、ユーザが自分の端末（後述の情報処理装置３）を用いて、事件に係るフォルダやファイルにアクセスすることができる。
【００１５】
１−３．情報処理装置３
図２は、情報処理装置３のハードウェア構成を示すブロック図である。図３は、情報処理装置３（制御部３３）の機能を示す機能ブロック図である。情報処理装置３は、通信部３１と、記憶部３２と、制御部３３と、表示部３４と、表示部３４とを有し、これらの構成要素が情報処理装置３の内部において通信バス３０を介して電気的に接続されている。各構成要素についてさらに説明する。
【００１６】
＜通信部３１＞
通信部３１は、ＵＳＢ、ＩＥＥＥ１３９４、Ｔｈｕｎｄｅｒｂｏｌｔ、有線ＬＡＮネットワーク通信等といった有線型の通信手段が好ましいものの、無線ＬＡＮネットワーク通信、ＬＴＥ／３Ｇ等のモバイル通信、Ｂｌｕｅｔｏｏｔｈ（登録商標）通信等を必要に応じて含めてもよい。すなわち、これら複数の通信手段の集合として実施することがより好ましい。情報処理装置３は、通信部３１を介して共有サーバ２と情報通信を可能に構成される。例えば、ユーザが情報処理装置３を用いて共有サーバ２に格納されたファイルにアクセスする場合は、通信部３１を介して行われる。
【００１７】
＜記憶部３２＞
記憶部３２は、前述の記載により定義される様々な情報を記憶する。これは、例えばソリッドステートドライブ（Ｓｏｌｉｄ  Ｓｔａｔｅ  Ｄｒｉｖｅ：ＳＳＤ）等のストレージデバイスとして、あるいは、プログラムの演算に係る一時的に必要な情報（引数、配列等）を記憶するランダムアクセスメモリ（Ｒａｎｄｏｍ  Ａｃｃｅｓｓ  Ｍｅｍｏｒｙ：ＲＡＭ）等のメモリとして実施されうる。また、これらの組合せであってもよい。
【００１８】
特に、記憶部３２は、後述の表示部３４に所望のＧＵＩの画面を表示させる表示制御プログラムを記憶する。記憶部３２は、辞書データ編集ＵＩ４を生成するＵＩ生成プログラムを記憶する。記憶部３２は、辞書データ編集ＵＩ４に対する入力の結果に基づいて、辞書データ５を生成する辞書データ生成プログラムを記憶する。記憶部３２は、辞書データ編集ＵＩ４に入力され且つ英数字で規定される入力キー順列５１を、この入力キー順列５１を特定言語入力した際に表示される特定言語入力表示形式に変換する日本語入力変換プログラムを記憶する。記憶部３２は、既存の辞書データ５を読み込む（インポートする）辞書データ読込プログラムを記憶する。
【００１９】
また、記憶部３２は、これ以外にも制御部３３によって実行される情報処理装置３に係る種々のプログラム等を記憶している。
【００２０】
＜制御部３３＞
制御部３３は、情報処理装置３に関連する全体動作の処理・制御を行う。制御部３３は、例えば不図示の中央処理装置（Ｃｅｎｔｒａｌ  Ｐｒｏｃｅｓｓｉｎｇ  Ｕｎｉｔ：ＣＰＵ）である。制御部３３は、記憶部３２に記憶された所定のプログラムを読み出すことによって、情報処理装置３に係る種々の機能を実現する。具体的には表示制御機能、ＵＩ生成機能、日本語入力変換機能、辞書データ生成機能、辞書データ読込機能等が該当する。すなわち、ソフトウェア（記憶部３２に記憶されている）による情報処理がハードウェア（制御部３３）によって具体的に実現されることで、表示制御部３３１、ＵＩ生成部３３２、日本語入力変換部３３３、辞書データ生成部３３４、及び辞書データ読込部３３５として実行されうる。これらについては、第２節においてさらに詳述する。
【００２１】
なお、図２においては、単一の制御部３３として表記されているが、実際はこれに限るものではなく、機能ごとに複数の制御部３３を有するように実施してもよい。またそれらの組合せであってもよい。
【００２２】
＜表示部３４＞
表示部３４は、例えば、情報処理装置３の筐体に含まれるものであってもよいし、外付けされるものであってもよい。表示部３４は、ユーザが操作可能なグラフィカルユーザインターフェース（Ｇｒａｐｈｉｃａｌ  Ｕｓｅｒ  Ｉｎｔｅｒｆａｃｅ：ＧＵＩ）の画面を表示する。これは例えば、ＣＲＴディスプレイ、液晶ディスプレイ、有機ＥＬディスプレイ及びプラズマディスプレイ等の表示デバイスを、情報処理装置３の種類に応じて使い分けて実施することが好ましい。当該表示デバイスは、制御部３３における表示制御部３３１の制御信号に応答して、表示画面を選択的に表示しうる。例えば、辞書データ編集ＵＩ４や辞書データ５をユーザが視認可能に表示することができる。
【００２３】
＜入力部３５＞
入力部３５は、情報処理装置３の筐体に含まれるものであってもよいし、外付けされるものであってもよい。例えば、入力部３５は、表示部３４と一体となってタッチパネルとして実施されてもよい。タッチパネルであれば、ユーザは、タップ操作、スワイプ操作等を入力することができる。もちろん、タッチパネルに代えて、スイッチボタン、マウス、ＱＷＥＲＴＹキーボード等を採用してもよい。すなわち、入力部３５がユーザによってなされた操作入力を受け付ける。当該入力が命令信号として、通信バス３０を介して制御部３３に転送され、制御部３３が必要に応じて所定の制御や演算を実行しうる。
【００２４】
特に、ユーザは、入力部３５を用いて表示部３４に表示された辞書データ編集ＵＩ４に入力キー順列５１や変換文字列５２の一部である主要文字列５２ａ等を入力することができる。
【００２５】
２．機能構成
第２節では、本実施形態の機能構成について説明する。前述の制御部３３に関して、情報処理装置３は、表示制御部３３１と、ＵＩ生成部３３２と、辞書データ生成部３３４と、特定言語変換部の一例である日本語入力変換部３３３と、辞書データ読込部３３５とを備える。以下、各構成要素についてさらに説明する。
【００２６】
［表示制御部３３１］
表示制御部３３１は、ソフトウェア（記憶部３２に記憶されている）による情報処理がハードウェア（制御部３３）によって具体的に実現されているものである。表示制御部３３１は、表示部３４に表示させる画面を決定する。例えば、辞書データ編集ＵＩ４や辞書データ５をユーザが視認可能に、表示部３４に表示させることができる。
【００２７】
［ＵＩ生成部３３２］
ＵＩ生成部３３２は、ソフトウェア（記憶部３２に記憶されている）による情報処理がハードウェア（制御部３３）によって具体的に実現されているものである。ＵＩ生成部３３２は、辞書データ編集ＵＩ４を生成するように構成される。図４は、ＵＩ生成部３３２によって生成された辞書データ編集ＵＩ４の一例を示している。このように、辞書データ編集ＵＩ４は、２次元テーブルのＵＩで、このテーブルの行及び列によって規定される各セル４０に情報を入力可能に構成される。
【００２８】
辞書データ編集ＵＩ４におけるセル４０は、第１の入力キーセル４１と、第２の入力キーセル４２と、文字列セル４３とに少なくとも分類される。第１の入力キーセル４１は、行見出し及び列見出しの一方を構成し、入力キー順列５１のうち前半部分に対応する英数字の入力欄として機能する。第２の入力キーセル４２は、一方に対する他方を構成し、前半に対する後半部分に対応する英数字の入力欄として機能する。文字列セル４３は、行見出し及び列見出しの何れにも含まれないセル４０で、入力キー順列５１と紐付ける変換文字列５２又はその一部で構成される主要文字列５２ａの入力欄として機能する。特に、図４に示される例では、第１の入力キーセル４１が列見出しを構成し、第２の入力キーセル４２が行見出しを構成し、文字列セル４３は、主要文字列５２ａの入力欄として機能している。辞書データ編集ＵＩ４の初期画面では、第１の入力キーセル４１に１，２，３・・・と数値が予め入力されており、第２の入力キーセル４２にも１，２，３・・・と数値が予め入力されている。
【００２９】
図５は、図４の状態からユーザが各セル４０に情報を入力した後の態様を示している。この例は、本明細書を執筆する上で使用する辞書データ５を生成するために、辞書データ編集ＵＩ４に情報を入力した結果である。ユーザは自己の特許明細書の符号の付け方の好みに応じて、第１の入力キーセル４１に入力する数値及び第２の入力キーセル４２に入力する数値を変更することができる。
【００３０】
一般的に、明細書中の用語に付す符号は、階層構造を有するものが多い。例えば、本実施形態であれば、図２に示されるように、情報処理装置３（符号が３）の内部の構成要素には、通信バス３０、通信部３１、記憶部３２、制御部３３、表示部３４、入力部３５等、符号３○（○には１，２，３・・・と枝番号が入る）が付されている。
【００３１】
本実施形態に係る辞書データ編集ＵＩ４では、第１の入力キーセル４１と第２の入力キーセル４２とを行列で構成することで、図５に示されるように、直感的に階層構造を維持して、各用語（主要文字列５２ａ）に付す符号を効率的に決定することができる、という有利な効果を奏する。
【００３２】
図５を参照すると、第１の入力キーセル４１における「３」を含む列に属す文字列セル４３には、入力キー順列５１（符号に相当）が「３」から始まる主要文字列５２ａ（用語に相当）が記載される。例えば、同列で行見出しが「空欄」のセル４０には３という符号を付す「情報処理装置」、行見出しが「０」のセル４０には３０という符号を付す「バス」、行見出しが「１」のセル４０には３１という符号を付す「通信部」、行見出しが「２」のセル４０には３２という符号を付す「記憶部」、行見出しが「３」のセル４０には３３という符号を付す「制御部」が入力されている。また、ユーザによって、第１の入力キーセル４１に「５２」が、第２の入力キーセル４２に「ａ」と「ｂ」とが入力されている。これらによって規定されるセル４０に、５２ａという符号を付す「主要文字列」と５２ｂという符号を付す「符号部」とがそれぞれ入力されている。
【００３３】
［日本語入力変換部３３３］
日本語入力変換部３３３は、ソフトウェア（記憶部３２に記憶されている）による情報処理がハードウェア（制御部３３）によって具体的に実現されているものである。日本語入力変換部３３３は、辞書データ編集ＵＩ４に入力され且つ英数字で規定される入力キー順列５１を、この入力キー順列５１を特定言語入力した際に表示される日本語入力表示形式に変換する。例えば、前述の５２ａという符号を付す「主要文字列」を考えると、日本語の辞書登録としては、変換元が「５２あ」となり、変換後が「主要文字列５２ａ」となるべきである。日本語入力変換部３３３は、このような日本語入力の辞書変換に基づいて、辞書データ編集ＵＩ４において英数字で規定される入力キー順列５１を日本語入力表示形式に変換する。
【００３４】
より、具体的には、日本語入力変換部３３３は、辞書データ編集ＵＩ４に入力された英字ａを日本語入力表示「あ」に変換し、英字ｉを日本語入力表示「い」に変換し、英字ｕを日本語入力表示「う」に変換し、英字ｅを日本語入力表示「え」に変換し、英字ｏを日本語入力表示「お」に変換するように構成される。
【００３５】
［辞書データ生成部３３４］
辞書データ生成部３３４は、ソフトウェア（記憶部３２に記憶されている）による情報処理がハードウェア（制御部３３）によって具体的に実現されているものである。辞書データ生成部３３４は、辞書データ編集ＵＩ４に対する入力の結果に基づいて、辞書データ５を生成するように構成される。図６は、生成された辞書データ５の一例を示している。このように、辞書データ５は、入力キー順列５１と変換文字列５２とを紐付けたリストである。ここで、図６に示されるように、辞書データ５に含まれる変換文字列５２は、主要文字列５２ａの後に入力キー順列５１（符号部５２ｂ）を繋げてなる文字列であることに留意されたい。
【００３６】
つまり、ユーザは、辞書データ編集ＵＩ４においては、規定のセル４０に変換文字列５２の「情報処理装置３」ではなく主要文字列５２ａ（変換文字列５２から符号部５２ｂを除いた文字列であって、用語に相当）の「情報処理装置」とだけ入力すればよい。そして、そのような入力を行ったとしても、辞書データ生成部３３４によって生成される辞書データ５には、「情報処理装置」ではなく「情報処理装置３」が変換文字列５２として記載されることとなる。これにより、辞書登録の際に、変換元となる入力キー順列５１の入力と、変換後の符号部５２ｂとを重複して入力するというユーザの手間が解消されるという有利な効果を奏する。
【００３７】
また、図６及び日本語入力変換部３３３の説明でも明らかなように、辞書データ生成部３３４は、日本語入力表示形式の入力キー順列５１と、変換文字列５２とを紐付けた辞書データ５を生成するように構成されるとよい。
【００３８】
［辞書データ読込部３３５］
辞書データ読込部３３５は、ソフトウェア（記憶部３２に記憶されている）による情報処理がハードウェア（制御部３３）によって具体的に実現されているものである。辞書データ読込部３３５は、既存の辞書データ５を読み込む（インポートする）ように構成される。かかる場合、ＵＩ生成部３３２は、辞書データ読込部３３５によって読み込まれた既存の辞書データ５の内容を編集できる態様で、辞書データ編集ＵＩ４を生成する。このような機能を用いることで、取り組む事件に類似した過去の事件に使用した辞書データ５を流用することができる。つまり、ユーザは、過去に生成した辞書データ５であって例えば共有サーバ２に格納しておいたものを、辞書データ生成部３３４を用いて読み込ませ、これを編集することで、より効率的に辞書データ５を生成することができる、という有利な効果を奏する。
【００３９】
３．情報処理装置３（システム１）を用いた書類作成方法
第３節では、特許庁への提出書類を作成する書類作成方法の一例について説明する。図７は、本実施形態に係る書類作成方法の流れを示すアクティビティ図である。以下、図７における各アクティビティに沿って説明をする。
【００４０】
［ここから］
（アクティビティＡ０１）
ユーザによる入力部３５への所定操作（例えばプログラムのアイコンをクリック）を契機として、ＵＩ生成部３３２が辞書データ編集ＵＩ４を生成する。また、表示制御部３３１がこれを表示部３４に表示させる。
【００４１】
（アクティビティＡ０２）
続いて、ユーザが辞書データ編集ＵＩ４における各セル４０に必要な情報を入力する。すなわちユーザが、入力キー順列５１の前半部分及び後半部分と、主要文字列５２ａとを入力する。
【００４２】
（アクティビティＡ０３）
続いて、ユーザによる入力部３５への所定操作（例えば、辞書データ編集ＵＩ４に設けられたボタンをクリック）を契機として、日本語入力変換部３３３が入力された入力キー順列５１（前半部分と後半部分でともに英数字）を日本語入力表示に変換する。
【００４３】
（アクティビティＡ０４）
続いて、辞書データ生成部３３４が辞書データ編集ＵＩ４への入力結果に基づいて辞書データ５を生成する。
【００４４】
（アクティビティＡ０５）
続いて、ユーザが辞書データ５を辞書ツールに辞書登録する。なお、辞書登録はユーザが行ってもよいし、辞書データ生成部３３４が生成した辞書データ５を自動的に辞書登録するように工夫してもよい。
【００４５】
（アクティビティＡ０６）
最後に、ユーザがアクティビティＡ０６で登録された辞書登録に基づいて、例えば特許出願に係る明細書等の提出書類を作成する。
［ここまで］
【００４６】
まとめると、かかる特許庁への提出書類を作成する書類作成方法は、辞書登録ステップと、書類作成ステップとを備える。辞書登録ステップでは、入力キー順列５１と、変換文字列５２とを紐付けた辞書登録を実施し、ここで入力キー順列５１は、提出書類に含まれる用語を入力するためのキー数よりも少ない入力キー順列５１であり、変換文字列５２は、用語（主要文字列５２ａ）の後にこの用語に付す符号（符号部５２ｂ）を繋げた文字列である。そして、書類作成ステップでは、辞書登録に用いて提出書類を作成する。
【００４７】
また、この辞書登録ステップは、提出書類に対応する事件ごとに分類して実施されることが好ましい。そして、この書類作成方法が解除ステップをさらに備え、この解除ステップでは、提出書類の提出が完了した後に、この提出書類に対応する事件の辞書登録を解除することが好ましい。これにより、事件ごとに適切な辞書登録を用いて、ユーザが書類を生成することができる、という有利な効果を奏する。もちろん、書類作成方法においては、辞書登録ステップが情報処理装置３によって生成された辞書データ５に基づいて実施されればよいが、情報処理装置３における辞書データ編集ＵＩ４を用いずとも、ユーザが手作業で辞書登録ステップを実施してもよい。また、辞書登録の際に使用した辞書データ５は、例えば、後日の拒絶理由通知に対する意見書や補正書の作成にも有効である。ただし、出願時とは異なる者が担当する可能性も鑑みて、辞書データ５を共有サーバ２における該当する事件のフォルダに格納しておくとよい。
【００４８】
好ましくは、この書類作成方法で生成する提出書類は、機械構造物に関連する特許出願の明細書である。機械構造物の明細書執筆においては、図面中に大量の符号を付して、それに基づいて明細書を作成することとなるが、執筆者が大量の符号を付した箇所の名称（用語）を記憶又はいちいち確認しながら執筆することが多い。本書類作成方法では、辞書登録に基づいて執筆を行うため、図面の符号を見ながら、「１は２と３と４とを備える。具体的には、２は３の表面に設けられ、４と対向してなる。」といったように、用語を全く入力せずに執筆を行えばよい。実際には、辞書登録に基づいて変換がなされるため、いわゆる通常の明細書の記載がなされる。これらの用語をタイピングするにあたって、従来多発していた誤記や誤植が発生しないことに留意されたい。
【００４９】
このような方法によれば、符号の振り間違いといった誤記・誤植を低減し、且つ非常に迅速に、効率的に、さらにいえば、爆速（登録商標）に、特許出願に係る明細書を作成することができる。
【００５０】
４．変形例
第４節では、本実施形態の変形例について説明する。すなわち、以下のような態様を採用してもよい。
（１）日本語入力変換部３３３は、あくまでも特定言語入力変換部の一例であり、他の言語に合わせて設計してもよい。
（２）変換文字列５２は、主要文字列５２ａと符号部５２ｂとからなるように構成しているが、符号５２ｂをなくして、変換文字列５２と主要文字列５２ａとが同一となるように実施してもよい。
（３）プログラムであって、コンピュータを情報処理装置３として機能させるものが提供されてもよい。このプログラムが予めインストールされていてもよいし、事後的にインストールされてもよいし、このようなプログラムを外部の記憶媒体に記憶させてもよいし、クラウドコンピューティングで動作させてもよい。
【００５１】
５．結言
以上のように、本実施形態によれば、書類作成に際して誤記や誤植の発生を防止し、且つ書類作成時間も削減可能な辞書データを生成することができる情報処理装置を実施することができる。
【００５２】
次に記載の各態様で提供されてもよい。
前記情報処理装置において、前記辞書データ編集ＵＩにおける前記セルは、第１の入力キーセルと、第２の入力キーセルと、文字列セルとに少なくとも分類され、前記第１の入力キーセルは、行見出し及び列見出しの一方を構成し、前記入力キー順列のうち前半部分に対応する英数字の入力欄として機能し、前記第２の入力キーセルは、前記一方に対する他方を構成し、前記前半に対する後半部分に対応する英数字の入力欄として機能し、前記文字列セルは、前記行見出し及び前記列見出しの何れにも含まれないセルで、前記入力キー順列と紐付ける前記変換文字列又はその一部で構成される主要文字列の入力欄として機能するもの。
前記情報処理装置において、前記文字列セルは、前記主要文字列の入力欄として機能し、前記辞書データに含まれる前記変換文字列は、前記主要文字列の後に前記入力キー順列を繋げてなる文字列であるもの。
前記情報処理装置において、特定言語入力変換部をさらに備え、前記特定言語入力変換部は、前記辞書データ編集ＵＩに入力され且つ英数字で規定される前記入力キー順列を、この入力キー順列を特定言語入力した際に表示される特定言語入力表示形式に変換するように構成され、前記辞書データ生成部は、前記特定言語入力表示形式の前記入力キー順列と、前記変換文字列とを紐付けた前記辞書データを生成するように構成されるもの。
前記情報処理装置において、前記特定言語入力変換部は、前記辞書データ編集ＵＩに入力された英字ａを日本語入力表示「あ」に変換し、英字ｉを日本語入力表示「い」に変換し、英字ｕを日本語入力表示「う」に変換し、英字ｅを日本語入力表示「え」に変換し、英字ｏを日本語入力表示「お」に変換するように構成されるもの。
前記情報処理装置において、辞書データ読込部をさらに備え、前記辞書データ読込部は、既存の辞書データを読み込むように構成され、前記ＵＩ生成部は、前記辞書データ読込部によって読み込まれた前記既存の辞書データの内容を編集できる態様で、前記辞書データ編集ＵＩを生成するもの。
プログラムであって、コンピュータを前記情報処理装置として機能させるもの。
特許庁への提出書類を作成する書類作成方法であって、辞書登録ステップと、書類作成ステップとを備え、前記辞書登録ステップでは、入力キー順列と、変換文字列とを紐付けた辞書登録を実施し、ここで前記入力キー順列は、前記提出書類に含まれる用語を入力するためのキー数よりも少ない入力キー順列であり、前記変換文字列は、前記用語の後にこの用語に付す符号を繋げた文字列で、前記書類作成ステップでは、前記辞書登録に用いて前記提出書類を作成する方法。
前記書類作成方法において、前記辞書登録ステップは、前記提出書類に対応する事件ごとに分類して実施され、解除ステップをさらに備え、前記解除ステップでは、前記提出書類の提出が完了した後に、この提出書類に対応する事件の辞書登録を解除する方法。
前記書類作成方法において、前記提出書類は、機械構造物に関連する特許出願の明細書であるもの。
前記書類作成方法において、前記辞書登録ステップが前記情報処理装置によって生成された前記辞書データに基づいて実施される方法。
もちろん、この限りではない。
【００５３】
最後に、本発明に係る種々の実施形態を説明したが、これらは、例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれるとともに、特許請求の範囲に記載された発明とその均等の範囲に含まれるものである。
【符号の説明】
【００５４】
１      ：システム
２      ：共有サーバ
３      ：情報処理装置
３０    ：通信バス
３１    ：通信部
３２    ：記憶部
３３    ：制御部
３３１  ：表示制御部
３３２  ：ＵＩ生成部
３３３  ：日本語入力変換部
３３４  ：辞書データ生成部
３３５  ：辞書データ読込部
３４    ：表示部
３５    ：入力部
４      ：辞書データ編集ＵＩ
４０    ：セル
４１    ：第１の入力キーセル
４２    ：第２の入力キーセル
４３    ：文字列セル
５      ：辞書データ
５１    ：入力キー順列
５２    ：変換文字列
５２ａ  ：主要文字列
５２ｂ  ：符号部
【要約】
【課題】書類作成に際して誤記や誤植の発生を防止し、且つ書類作成時間も削減可能な辞書データを生成することができる情報処理装置を提供すること。
【解決手段】本発明の一態様によれば、辞書データを生成する情報処理装置であって、前記辞書データとは、入力キー順列と変換文字列とを紐付けたリストで、本情報処理装置は、ＵＩ生成部と、辞書データ生成部とを備え、前記ＵＩ生成部は、辞書データ編集ＵＩを生成するように構成され、ここで前記辞書データ編集ＵＩとは、２次元テーブルのＵＩで、このテーブルの行及び列によって規定される各セルに情報を入力可能に構成され、前記辞書データ生成部は、前記辞書データ編集ＵＩに対する入力の結果に基づいて、前記辞書データを生成するように構成されるものが提供される。
【選択図】図７【図１】
0006744643.tif 000002
【図２】
0006744643.tif 000003
【図３】
0006744643.tif 000004
【図４】
0006744643.tif 000005
【図５】
0006744643.tif 000006
【図６】
0006744643.tif 000007
【図７】
0006744643.tif 000008